(57)【要約】マルチノード関連情報送信にマルチノード適合資源（４０）を、単一ノード関連情報送信に単一ノード適合資源（４５）を活用するネットワーク（１）の通信資源（４０、４５）の管理にこの発明は関する。ネットワーク（１）の全送信機ノード（１０、１５）に対し、いつ各資源種が使用可能か指定する既定資源割り当て（６０）が決定される。ネットワーク（１）のノードのサブセット（１０）は、ノードサブセット（１０）送信のマルチ及び／または単一ノード関連情報の期待量を推定する。既定資源割り当て（６０）はその後、推定期待情報量に基づき、ノードサブセット（１０）に対し動的に調整され、既定時間機構（６０）決定の物理資源（４０、４５）が周波数領域で動的に共有されると暗示する。調整既定資源割り当て（６５）に従い、マルチ／単一ノード適合資源（４０）はノードサブセット（１０）により単一／マルチノード関連情報送信に割り当てられるだろう。【選択図】図２
2008547264.tif 000002
【特許請求の範囲】
【請求項１】
複数の送信機ノード（１０、１５）を含むワイヤレス通信システム（１）内の通信資源（４０、４５）の管理方法で、
‐  マルチノード適合通信資源（４０）がマルチノード関連情報の時間協調的な送信に適合され、単一ノード適合通信資源（４５）が単一ノード関連情報の送信に適合される場合に、前記複数の送信機ノード（１０、１５）が情報を送信するために、マルチノード適合（４０）と単一ノード適合（４５）通信資源とをいつ使用するかを指定する、既定資源割り当て（６０）を提供することと、
‐  前記複数の送信機ノード（１０、１５）のサブセット（１０）によって送信される前記マルチノード関連情報と前記単一ノード関連情報との内少なくとも１つの期待量を推定することと、
‐  情報の前記推定された期待量に基づいて、マルチノード適合通信資源（４０）を単一ノード関連情報の送信に、または単一ノード適合通信資源（４５）をマルチノード関連情報の時間協調的な送信に割り当てることによって、前記複数の送信機ノード（１０、１５）の前記サブセット（１０）に対して、前記既定資源割り当て（６０）を動的に調整することと、
のステップを含む方法。
【請求項２】
マルチノード適合通信資源（４０）が、少なくとも２つの送信機ノード（１０）によるマルチノード関連情報の時間協調的な送信に適合されて、単一ノード適合通信資源（４５）が、単一の送信機ノード（１５）による単一ノード関連情報の送信に適合される、請求項１による方法。
【請求項３】
マルチノード適合通信資源（４０）が、少なくとも２つの送信機ノード（１０）によるマルチノード関連情報の時間同期化された送信に適合される、請求項１または２による方法。
【請求項４】
前記動的に調整するステップが、情報の前記推定された期待量に基づいて、マルチノード関連と単一ノード関連情報とを周波数多重化することによって、前記既定資源割り当て（６０）を動的に調整するステップを含む、請求項１〜３のいずれかによる方法。
【請求項５】
前記推定ステップが、前記複数の送信機ノード（１０、１５）の前記サブセット（１０）によって送信される前記マルチノード関連情報の期待量を推定すること含む、請求項１〜４のいずれかによる方法。
【請求項６】
前記推定ステップが、前記複数の送信機ノード（１０、１５）の前記サブセット（１０）と関連するユーザ端末（２０）を起源とするマルチノード関連情報に対するユーザ要求に基づいて情報の前記期待量を推定することを含む、請求項１〜５のいずれかによる方法。
【請求項７】
マルチノード適合通信資源（４０）が、１番目の長さ（ΔＡ）の関連する巡回拡張（５２）をもつシンボル（５０）を運ぶ直交サブキャリアであって、単一ノード適合通信資源（４５）が、２番目の長さ（ΔＢ）の関連する巡回拡張（５７）をもつシンボル（５５）を運ぶ直交サブキャリアであって、ここで前記２番目の長さ（ΔＢ）が前記１番目の長さ（ΔＡ）より短い、請求項１〜６のいずれかによる方法。
【請求項８】
前記巡回拡張（５２、５７）が、
‐  巡回プレフィックスと、
‐  巡回ポストフィックスと、
‐  巡回時間領域ウインドウと、
の内の少なくとも１つである、請求項７による方法。
【請求項９】
前記マルチノード関連情報が単一周波数ネットワーク放送情報である、請求項１〜８のいずれかによる方法。
【請求項１０】
前記通信資源（４０、４５）が直交サブキャリアであり、前記ワイヤレス通信システム（１）が直交周波数分割多重を使用する通信システムである、請求項１〜９のいずれかによる方法。
【請求項１１】
複数の送信ノード（１０、１５）を含むワイヤレス通信システム（１）内の送信ノード（１０）によって情報を送信する方法であって、マルチノード適合通信資源（４０）がマルチノード関連情報の時間協調的な送信に適合され、単一ノード適合通信資源（４５）が単一ノード関連情報の送信に適合される場合に、前記通信システム（１）が、前記複数の送信機ノード（１０、１５）が情報を送信するために、マルチノード適合（４０）と単一ノード適合（４５）通信資源とをいつ使用するかを指定する既定資源割り当て（６０）を使用しており、
‐  前記送信機ノード（１０）によって送信される前記マルチノード関連情報と前記単一ノード関連情報との内少なくとも１つの期待量を推定することと、
‐  情報の前記推定された期待量に基づいて、マルチノード適合通信資源（４０）を単一ノード関連情報の送信に、または単一ノード適合通信資源（４５）をマルチノード関連情報の時間協調的な送信に割り当てることによって、前記送信機ノード（１０）に対して、前記既定資源割り当て（６０）を動的に調整することと、
‐  前記調整された既定資源割り当て（６０）に従って情報を送信することと、
のステップを含む方法。
【請求項１２】
複数の送信機ノード（１０、１５）を含むワイヤレス通信システム（１）内の通信資源（４０、４５）を管理するためのシステム（１００）で、
‐  マルチノード適合通信資源（４０）がマルチノード関連情報の時間協調的な送信に適合され、単一ノード適合通信資源（４５）が単一ノード関連情報の送信に適合される場合に、前記複数の送信機ノード（１０、１５）が情報を送信するために、マルチノード適合（４０）と単一ノード適合（４５）通信資源とをいつ使用するかを指定する、既定資源割り当て（６０）を提供するための手段（１１０、１２０）と、
‐  前記複数の送信機ノード（１０、１５）のサブセット（１０）によって送信される前記マルチノード関連情報と前記単一ノード関連情報との内少なくとも１つの期待量を推定するための推定装置（１３０）と、
‐  情報の前記推定された期待量に基づいて、マルチノード適合通信資源（４０）を単一ノード関連情報の送信に、または単一ノード適合通信資源（４５）をマルチノード関連情報の時間協調的な送信に割り当てることによって、前記複数の送信機ノード（１０、１５）の前記サブセット（１０）に対して、前記既定資源割り当て（６０）を動的に調整するための手段（１４０）と、
を含む、前記システム（１００）。
【請求項１３】
マルチノード適合通信資源（４０）が、少なくとも２つの送信機ノード（１０）によるマルチノード関連情報の時間協調的な送信に適合される、請求項１２によるシステム。
【請求項１４】
動的に調整するための前記手段（１４０）が、情報の前記推定された期待量に基づいて、マルチノード関連と単一ノード関連情報とを周波数多重化することによって、前記既定資源割り当て（６０）を動的に調整するように構成されている、請求項１２または１３によるシステム。
【請求項１５】
前記推定装置（１３０）が、前記送信機ノード（１０、１５）の前記サブセット（１０）によって送信される前記マルチノード関連情報の期待量を推定するように構成されている、請求項１２から１４のいずれかによるシステム。
【請求項１６】
前記推定装置（１３０）が、前記複数の送信機ノード（１０、１５）の前記サブセット（１０）と関連するユーザ端末（２０）を起源とする、マルチノード関連情報に対するユーザ要求に基づいて情報の前記期待量を推定するように構成されている、請求項１２〜１５のいずれかによるシステム。
【請求項１７】
マルチノード適合通信資源（４０）が、１番目の長さ（ΔＡ）の関連する巡回拡張（５２）をもつシンボル（５０）を運ぶ直交サブキャリアであって、単一ノード適合通信資源（４５）が、２番目の長さ（ΔＢ）の関連する巡回拡張（５７）をもつシンボル（５５）を運ぶ直交サブキャリアであって、この場合前記２番目の長さ（ΔＢ）が前記１番目の長さ（ΔＡ）より短い、請求項１２〜１６のいずれかによるシステム。
【請求項１８】
前記巡回拡張（５２、５７）が、
‐  巡回プレフィックスと、
‐  巡回ポストフィックスと、
‐  巡回時間領域ウインドウと、
の内の少なくとも１つである、請求項１７によるシステム。
【請求項１９】
前記マルチノード関連情報が単一周波数ネットワーク放送情報である、請求項１２〜１８のいずれかによるシステム。
【請求項２０】
前記通信資源（４０、４５）が直交サブキャリアであり、前記ワイヤレス通信システム（１）が直交周波数分割多重を使用する通信システムである、請求項１２〜１９のいずれかによるシステム。
【請求項２１】
請求項１２〜２０のいずれかによるシステム（１００）を含む、ネットワークノード（１０）。
【請求項２２】
‐  請求項１２〜２０のいずれかによるシステム（１００）によって生成された調整された資源割り当て（６５）の情報を受信するための手段（２１０）と、
‐  前記調整された資源割り当て（６５）の前記情報に従って情報を送信するための送信機（２１０）と、
を含む、送信機ノード（１０）。
【発明の詳細な説明】
【技術分野】
【０００１】
本発明は広くワイヤレス通信システム内での通信資源管理に関し、特にこのようなシステム内での資源活用を指定するスキームを調整することに関する。
【背景技術】
【０００２】
直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ：ＯＦＤＭ）は、第４世代（ｆｏｕｒｔｈ  ｇｅｎｅｒａｔｉｏｎ：４Ｇ）と超第３世代（ｓｕｐｅｒ  ｔｈｉｒｄ  ｇｅｎｅｒａｔｉｏｎ：Ｓ３Ｇ）無線アクセスシステムとのための主要な候補であると考慮される。この選択は部分的に、他の多重化技術と比べて使用可能帯域幅の効率的に活用できるかに基づいて行われる。ＯＦＤＭで、使用可能帯域幅は多くの狭い帯域幅のサブキャリアに細分化される。これらのサブキャリアは互いに直交しており、このようにして標準の周波数分割多重（ｆｒｅｑｕｅｎｃｙ  ｄｉｖｉｓｉｏｎ  ｍｕｌｔｉｐｌｅｘｉｎｇ：ＦＤＭ）よりも互いにもっと近接にパック化可能であり、より高いスペクトル効率を提供している。各ユーザは、それらのデータを送信するためのいくつかのサブキャリアに割り当てられることができ、複数のデータシンボルが並列に送られることが可能になる。言い換えると、送信されたＯＦＤＭ信号はいくつかの低速データストリームを多重化し、その場合各データストリームは任意のサブキャリアと関連づけられる。このコンセプトでの主な利点はデータストリームの各々がほぼ平面のフェージングチャネルを経験することである。
【０００３】
ＯＦＤＭ信号が分散チャネルを通して送信されるとき、チャネル分散はサブキャリア間の直交性を壊し、キャリア間干渉（ｉｎｔｅｒ−ｃａｒｒｉｅｒ  ｉｎｔｅｒｆｅｒｅｎｃｅ：ＩＣＩ）を引き起こす。加えて、分散チャネルが連続するＯＦＤＭシンボルの間でシンボル間干渉（ｉｎｔｅｒ−ｓｙｍｂｏｌ  ｉｎｔｅｒｆｅｒｅｎｃｅ：ＩＳＩ）を引き起こすように、システムは複数のＯＦＤＭシンボルを順次に送信できる。サブキャリアの直交性は保存されることができ、ＩＣＩとＩＳＩとは、連続のＯＦＤＭシンボル間に挿入されたいわゆる巡回拡張を使用することによって防がれることができる[非特許文献１、２]。
【０００４】
チャネルインパルス応答の持続期間が巡回拡張の長さよりも小さい限り、チャネル等価がサブキャリア毎にただ１階虚数乗法を用いて行われることができ、ＩＳＩとＩＣＩとは防がれる。もしチャネルインパルス応答が巡回拡張の長さに及ぶならば、ＩＳＩとＩＣＩとの両方が起きるであろう。
【０００５】
今日ＯＦＤＭは、デジタルビデオブロードキャスティング（Ｄｉｇｉｔａｌ  Ｖｉｄｅｏ  Ｂｒｏａｄｃａｓｔｉｎｇ：ＤＶＢ）とデジタルオーディオブロードキャスティング（Ｄｉｇｉｔａｌ  Ａｕｄｉｏ  Ｂｒｏａｄｃａｓｔｉｎｇ：ＤＡＢ）とのような地上波デジタル放送システムで使用される。デジタル放送にＯＦＤＭを選択することに対する１つの理由は、単一周波数ネットワーク（Ｓｉｎｇｌｅ  Ｆｒｅｑｕｅｎｃｙ  Ｎｅｔｗｏｒｋ：ＳＦＮ）方式でシステムを操作する可能性である。ＳＦＮ方式では、同じ無線信号がネットワーク内の全部の無線送信機ノードから送信される。ネットワーク内の送信された無線信号が、巡回拡張の長さよりも小さい時間ウインドウ内で受信機端末によって受信される限り、結果の信号は非常に単純なチャネル等価器を使用してＩＳＩまたはＩＣＩなしで検出されることができる。異なる送信機からの信号は、マルチパス信号が結合されるのと同じ方法で、受信機端末にて結合される。
【０００６】
巡回拡張は典型的に受信機端末内で捨てられ、ゆえに、それはできる限り小さく保たれるべきであるオーバーヘッドコストと関連する。典型的に、チャネルインパルス応答と、このように、巡回拡張との長さは、送信機ノード（または複数のノード）と受信機端末との間の最大期待距離に依存する。距離が長くなればなるほど、より長い巡回拡張が一般に必要になる。
【０００７】
複数の受信機端末に放送するであろう情報に対してＳＦＮ技術を使用するとき、要求される巡回拡張は典型的に、ノード固有の情報が任意のセル内の単一の送信機ノードと受信機端末との間で送信される場合の、普通のセルラー操作に必要とされるものよりも長くなければならない。
【０００８】
放送情報の効率的な支援を可能にするために、ＳＦＮ操作方式での放送のための長い関連する巡回拡張をもつＯＦＤＭシンボルは、普通のノード固有の操作（ユニキャスティング）のためのより短い巡回拡張をもつシンボルと時間多重される。そのようにして獲得された、長いのと短い巡回拡張との多重化されたシンボルの、準固定の時間パターンまたは割り当ての機構は、それぞれ、その後ネットワーク全体の全部の送信機ノードによって使用される。
（参考文献）
【０００９】
【非特許文献１】Ｐｅｌｅｄ  ａｎｄ  Ｒｕｉｚ，  Ｆｒｅｑｕｅｎｃｙ  ｄｏｍａｉｎ  ｄａｔａ  ｔｒａｎｓｍｉｓｓｉｏｎ  ｕｓｉｎｇ  ｒｅｄｕｃｅｄ  ｃｏｍｐｕｔａｔｉｏｎａｌ  ｃｏｍｐｌｅｘｉｔｙ  ａｌｇｏｒｉｔｈｍｓ，  Ｐｒｏｃ．  ＩＥＥＥ  ＩＣＡＳＳＰ，  ｐｐ．  ９６４‐９６７，  Ｄｅｎｖｅｒ，  Ｃｏｌｏｒａｄｏ，  １９８０
【非特許文献２】Ｈｅｎｋｅｌ  ｅｔ  ａｌ．，  Ｔｈｅ  ｃｙｃｌｉｃ  ｐｒｅｆｉｘ  ｏｆ  ＯＦＤＭ／ＤＭＴ  ‐  ａｎ  ａｎａｌｙｓｉｓ，  Ｐｒｏｃ．  Ｉｎｔ．  Ｚｕｒｉｃｈ  Ｓｅｍｉｎａｒ  ｏｎ  Ｂｒｏａｄｂａｎｄ  Ｃｏｍｍｕｎｉｃａｔｉｏｎｓ，  ｐｐ．  ２２‐１‐２２‐２，  Ｚｕｒｉｃｈ，  Ｓｗｉｔｚｅｒｌａｎｄ，  ２００２
【発明の開示】
【００１０】
先行技術の１つの欠点は、長いのと短い巡回拡張とをもつシンボルの混合が、それはネットワーク全体、すなわちネットワーク内の全部の送信機ノード、に関与するから、変えるのが非常に困難であることである。しかし、ネットワークの異なる部分での放送トラフィックと普通のノード固定の（ユニキャスト）トラフィックとの実際の必要性は、準固定のシンボル混合によって明記されるまたは決定されるものとは異なり得る。これは通信資源の非効率的な活用と低いシステムスループットに終わる。
【００１１】
本発明は先行技術の配列のこれらまたは他の欠点を克服する。
【００１２】
情報の送信のために資源の少なくとも２つの異なる種類を使用するワイヤレス通信システムでの通信資源の効率的で柔軟な管理を提供することが、本発明の一般的な目的である。
【００１３】
ワイヤレス通信システムでの、あらかじめ決定された資源スケジューリングスキームの動的な及び部分的な調整を提供することが、この発明のもう１つの目的である。
【００１４】
これらと他の目的とは添付の特許請求の範囲に定義されるようなこの発明によって達成される。
【００１５】
簡潔に、本発明は異なる情報またはデータ種を送信するときの使用に適合された資源の少なくとも２つの種類をもつワイヤレス通信システム内の通信資源を管理することに関与する。
【００１６】
この発明に従って、既定資源割り当て機構は通信システム内の全部の送信機ノードに対して決定される。この既定資源割り当ては、送信機ノードに対する資源割り当ての時間パターンを記述する異なる資源種の単時分割多重を指定する。言い換えると、既定資源割り当ては、情報をユーザ端末に送信する送信機ノードのために異なる資源種をいつ使用するかを指定する。
【００１７】
本発明に従って、１番目の資源種は、複数の送信機ノードから１つまたはそれ以上のユーザ端末への情報の時間協調的な送信に適合される、いわゆるマルチノード適合通信資源である。このような時間協調的な送信の１つの典型的な例は、ＳＦＮ方式で作動する送信機ノードに対するＳＦＮ放送である。時間協調は、同じ情報を運ぶ送信された信号ができる限りの非常に短い時間ウインドウ内で行き先のユーザ端末（または複数の端末）に届けられるように、好ましくは参加しているノードに対する送信の際の間に時間関係があることを意味する。送信機ノードは同じ情報を同期的に送信するために時間同期化されることができる。この時間協調的なマルチノード送信に適合された資源は好ましくは、（ＩＣＩとＩＳＩと戦うための）長い関連する巡回拡張をもつＯＦＤＭシンボルをもつ直交サブキャリアである。２番目の資源種は対して、単一のノードから１つまたはそれ以上のユーザ端末への情報の（ユニキャスティングまたはマルチキャスティング）送信に適合されたいわゆる単一ノード適合通信資源である。このような単一ノード適合資源の１つの好ましい例は、短い関連する巡回拡張をもつＯＦＤＭシンボルをもつ直交サブキャリアである。マルチノード適合資源はそれから、例えばＳＦＮ放送情報のような、マルチノード関連情報を運ぶことに適用され、その一方で、単一ノード適合資源は単一ノード関連情報を運ぶことに適用される。
【００１８】
既定資源割り当ては典型的に、時間領域で、マルチノード適合資源と単一ノード適合資源との混合を指定し、それによって、送信機ノードがマルチノード関連情報と単一ノード関連情報とをそれぞれ送信できるときを指定する。
【００１９】
ネットワーク内の送信機ノードのサブセットはその後、そのノードサブセットによって送信されるマルチノード関連及び／または単一ノード関連情報の期待量を推定する。情報の期待量は、次のあらかじめ決定された時間間隔内で送信される情報の量の推定に基づける。例えば、送信機ノード（または複数のノード）は、少なくとも部分的に、それの（またはそれらの）送信機バッファ（または複数のバッファ）内の情報の量と種類に基づいて、推定を行える。代替として、または加えて、推定は情報に対する受信されたユーザ要求に基づける。さらに、ある情報がシステム内で局所的にまたは地域的に送信されようとしていることは前もって知られることができる。またこのような知られた情報は好ましくは推定処理で使用される。加えて、いくつかのチャネル、典型的に放送チャネル、は送る送信機ノードに対して強制的であり得る。これらの強制的なチャネル上で送信される情報は、好ましくは推定に含まれる。
【００２０】
どちらの場合でも、推定情報量は、マルチと単一ノード関連情報との送信の、ノードサブセットの実際の必要性と、既定資源割り当てによって決定された資源割り当てと異なり得る、マルチと単一ノード適合資源との必要性とを反映する。もし必要性があれば、期待情報量に基づいて決定されるように、（一時的な）異なる割り当てに対して、ノードサブセットは推定情報量に基づいて既定資源割り当てを動的に調整する。これは、既定資源機構によって決定される物理資源が周波数領域で動的に共有されることを意味する。言い換えると、マルチノード適合通信資源は（一時的に）、送信機ノードのサブセットによって、単一ノード関連情報の送信への使用に割り当てられるであろうし、そして／または単一ノード適合資源はマルチノード関連情報の送信への使用に割り当てられるであろう。
【００２１】
送信機ノードのサブセットは従って、調整された既定資源割り当てに従って情報を送信するであろう一方で、ネットワーク内の残っている送信機ノードは既定資源割り当てに従って送信するであろう。
【００２２】
この既定資源割り当ての動的な調整は本発明に従って、このようにネットワークの異なる地域で実際の局所的な送信の必要性を反映し、適合する。このような調整は、情報種の１つの一時的な余分または不足をもって複製することに使用されることができる。これは、ノードの送信バッファが単一ノード関連情報を含むとしても、任意の送信機ノードが、送信するマルチノード関連情報をもっていないとき、マルチノード適合資源活用の期間で沈黙するであろう、先行技術の状況と比較されるべきである。この発明の動的な調整は資源のより柔軟な使用を提供し、システムスループットを増加する。
【００２３】
この発明は以下の利点を提供する。
‐  高速な、効率的な、柔軟な資源管理と共有とを提供する、
‐  使用可能な通信資源のより効率的な活用を提供することによって、システムスループットを増加する、
‐  既定資源割り当てのネットワーク規模での最適化に対する称賛として使用されることができる。
【００２４】
本発明によって提供される他の利点は、この発明の実施形態の下の記述を読むことで認識されるであろう。
【発明を実施するための最良の形態】
【００２５】
図面を全体で、対応するまたは同様の要素に対して、同じ参照文字が使用されるであろう。
【００２６】
本発明はワイヤレス無線ベース通信システム内の通信資源管理に関し、このようなシステム内の準固定のスケジューリングスキームの局所的で動的な調整を教示する。
【００２７】
図１は本発明に従った通信システムまたはネットワーク１の部分を図式的に説明する。通信システム１は、図の中で移動端末２０、２５として表された接続されたユーザ端末と通信する複数の送信機ノードまたは基地局１０、１５を含む。本発明に従って、送信機ノード１０、１５は、ユーザ端末２０、２５に、データがユーザ端末２０，２５に送信される仕方によって決定される情報またはデータの少なくとも２つの異なる種類を通信できる。
【００２８】
情報の１番目の種類は、少なくとも２つの送信機ノード１０によって１つまたはそれ以上のユーザ端末２０に送信される、いわゆるマルチノード関連情報である。言い換えると、これらのすくなくとも２つの送信機ノード１０はユーザ端末（または複数の端末）２０に時間協調的な仕方で同じ情報を送信する。このようなマルチノード関連情報の典型的な１つの例は、複数の送信機ノード１０によって１つまたはそれ以上のユーザ端末２０に時間協調的に送信された放送情報である。単一周波数ネットワーク（Ｓｉｎｇｌｅ  Ｆｒｅｑｕｅｎｃｙ  Ｎｅｔｗｏｒｋ：ＳＦＮ）放送方式で作動する直交周波数分割多重（Ｏｒｔｈｏｇｏｎａｌ  ｆｒｅｑｕｅｎｃｙ  ｄｉｖｉｓｉｏｎ  ｍｕｌｔｉｐｌｅｘｉｎｇ：ＯＦＤＭ）を使用する通信システム１にとって、複数の送信機ノード１０によって時間協調的に送信されるＳＦＮ放送情報は、本発明に従ったいわゆるマルチノード関連情報の１つの特定の例である。このＳＦＮ方式で、送信ノード１０は大体時間同期化され、複数のセルによって覆われた大きなエリア内に置かれたいくつかのユーザ端末２０に放送されるであろう（マルチノード関連）情報に対してＳＦＮ技術を使用する。しかし、この発明によって定義されるマルチノード関連情報は必ずしも複数のユーザ端末２０に通信されなければならないことを必要としない。また、指定のユーザ端末２０のみに対し意図されるユーザ固有の情報は、またマルチノード関連情報の範囲内で、それが少なくとも２つの送信機ノード１０によってこのユーザ端末２０に時間協調的に送信されると定められている。
【００２９】
時間協調的な送信は、参加している送信機ノード１０（例えばＳＦＮ方式で作動するノード１０）からの同じマルチノード関連情報の送信の間に時間関係があることを意味する。参加しているノード１０に対する、送信の際の間のこの時間関係は好ましくは、同じマルチノード関連情報を運ぶ送信された信号が、行き先のユーザ端末（または複数の端末）にできる限りの非常に短い時間ウインドウ内で届けられることである。送信機ノード２０は同じマルチノード関連情報を同期的に送信するために時間同期化されることができる。しかし、これは単に、本発明で定義されるような時間協調的な送信の１つの特定の実施形態である。情報送信の間に（小さな）時間の間隔がまたあり得る。受信ユーザ端末２０と関係する複数の送信機１０の間の伝搬時間の違いが、送信で使用された巡回拡張の長さよりも小さい限りでは、端末２０は信号を簡単に検出でき、シンボル間干渉（ＩＳＩ）またはチャネル間干渉（ｉｎｔｅｒ−ｃｈａｎｎｅｌ  ｉｎｔｅｒｆｅｒｅｎｃｅ：ＩＣＩ）全くなしの運ばれた情報を提供できる。
【００３０】
技術的によく知られているように、送信機ノード１０、１５からユーザ端末２０、２５に送信されたＯＦＤＭシンボルはよく、ＩＳＩとＩＣＩと戦うため及び防ぐためと、チャネル等価を単純化するためとに使用される巡回拡張と関連する。巡回拡張は、前のシンボルからのマルチパス信号に、現在のシンボルからの情報が受信機２０、２５に集められる前にフェードアウトするための時間を提供する。マルチパス遅延エコーが巡回拡張期間内に留まる限りでは、エコーの信号レベルに関して厳密に限定はない。全部のパスからの信号エネルギーは受信機２０、２５への入力にてただ加算し、使用可能なパワー全体は受信機２０、２５の復号機をフィードする。使用された巡回拡張の長さは、実際のチャネルインパルス応答の期間に依存する、言い換えると、ネットワークの大きさと、送信機ノード１０、１５と受信機端末２０、２５との間の最大期待距離とに典型的に依存する。一般に、距離が長くなればなるほど、より長い巡回拡張が必要になる。
【００３１】
複数の送信機ノード１０からの時間協調的な送信に関与するＳＦＮ方式のようなマルチノード送信方式内で作動するとき、単一の送信機ノード１５からの単一ノード送信と比べると、より長い巡回拡張が一般的に要求される。図６Ａは、シンボル５２のいわゆる「有用な」部分と、巡回拡張部分５４とを含むＯＦＤＭシンボル５０を図式的に説明する。有用な部分５２の長さｔＡは典型的に１／ｆｃに等しく、ここでｆｃは２つの隣接したサブキャリア間の周波数距離である。巡回拡張５４の長さΔＡは言い換えると、上で議論された基準、すなわちチャネルインパルス応答期間と最大送信機‐受信機距離と、によって決定される。図６Ａは、比較的長い巡回拡張５４が原因で、マルチノード関連（ＳＦＮ放送）情報の送信に適合されたＯＦＤＭシンボル５０を説明する。このようなシンボル５０は従って送信データがＳＦＮ方式に従うときに使用されることができる。
【００３２】
本発明に従った巡回拡張は、図で説明されるようなシンボルの有用な部分５２に先行する巡回プレフィックス５４であり得る。１つの典型的な実施形態では、この巡回プレフック巣５４は、シンボル５２の始まりに付けられたシンボル波形の終わりの時間内の鏡として見なされることができる。巡回プレフィックス５４のこの形はシンボル５２の長さに効率的に及び、一方で時間分散チャネル内のサブキャリア波形の直交性を維持する。
【００３３】
巡回拡張の他の形は本発明に従って、例えば、巡回ポストフィックスを含んで使用されることができる。また時間領域ウインドウイングはこの目的のために使用されることができる。信号の巡回繰り返しは従って時間ウインドウと掛けられて、巡回繰り返しのロールオン部分と、不変部分と、ロールオフ部分とを与える。ロールオン部分と不変部分とはよく、プレフィックスと同様に、ＯＦＤＭシンボルの有用な部分に先行して挿入され、一方でロールオフ部分はよくシンボルの後にポストフィックスとして挿入される。さらに、前のＯＦＤＭシンボルのロールオフ部分は、必須ではないが、現在のロールオン部分と時間で重なることができる。ロールオンとロールオフ部分とは送信された信号のスペクトルを形成することに使用され、典型的に巡回繰り返しの不変部分だけは時間分散を防ぐために使用されるであろう。本発明に従ったさらなる巡回拡張の１つの例は、シンボルの間への沈黙保護期間の挿入である。しかし、たとえ連続のＯＦＤＭシンボルの間のこのような沈黙保護期間が分散的な環境でＩＳＩを回避するであろうとしても、それはサブキャリア直交性の損失を防がない。結果として、本発明に従った巡回拡張は好ましくは、ＩＳＩとＩＣＩとの両方と戦うために使用されることができるよりも、巡回プレフィックス、または巡回ポストフィックス、または巡回時間領域ウインドウ、または何か他の巡回拡張である。
【００３４】
図１に戻ると、１番目の情報種またはマルチノード関連情報種はこのように、長い関連する巡回拡張をもつシンボルを使用して複数の送信機ノード１０によって時間協調的に送信される。本発明に従った情報の２番目の種類は、単一の送信機ノード１５によって典型的には１つの、しかしもしかすると複数の、ユーザ端末２５に送信（ユニキャストまたはマルチキャスト）される単一ノード関連またはノード／セル固有の情報である。単一ノード関連情報を送信するとき、送信機ノード１５は、例えばマルチノード関連情報に対するＳＦＮ方式と対照的に、普通のセルラー作動方式で典型的に作動する。単一ノード関連情報は、マルチノード関連情報と比べて、シンボルにより短い巡回拡張を典型的に要求する。図６Ｂは、単一ノード関連情報を運ぶことに適合された有用な部分５７と短い巡回拡張５９とをもつＯＦＤＭシンボル５５を説明する。このように、図６Ｂ内の短い巡回拡張５９の長さΔＢは図６Ａの長い巡回拡張５４の長さΔＡよりも短い。
【００３５】
ＯＦＤＭベースの通信システム１で、長いのと短い巡回拡張とをもつＯＦＤＭシンボルの単時分割多重は、ネットワーク１内の全部の送信機ノード１０、１５に対して生成される。このネットワーク１は例えば、特定の国、または国の地域、または何か他の定義されたエリア内の全部の送信機ノード１０、１５を含むことができる。時分割多重された通信資源の、このいわゆる準固定の既定資源割り当ては従って、送信機ノード１０、１５が、（長い巡回拡張をもつ）マルチノード適合通信資源を使用してマルチノード関連情報を送信できて、（短い巡回拡張をもつ）単一ノード適合通信資源によって単一ノード関連情報を送信できるときを明記する。図３はこのような準固定の既定資源割り当て６０の１つの例を図式的に説明する。この例の資源割り当て６０に従って、送信機ノードはマルチノード適合資源４０と単一ノード適合資源４５とを交互に使用できる。このように、時間間隔ｔ１〜ｔ０と、ｔ３〜ｔ２と、ｔ５〜ｔ４と、ｔ７〜ｔ６との内で、マルチノード適合資源（長い巡回拡張をもつシンボルをもつ直交のサブキャリア）４０は、マルチノード関連情報（ＳＦＮ放送情報）を送信するために送信機ノードが使用可能である。対応して、時間間隔ｔ２〜ｔ１と、ｔ４〜ｔ３と、ｔ６〜ｔ５と、ｔ８〜ｔ７との内で、使用可能な単一ノード資源（短い巡回拡張をもつシンボルをもつ直交のサブキャリア）４５は、いわゆる単一ノード関連情報（単一の送信機ノード（または複数のノード）によって送信されたマルチキャストまたはユニキャスト情報）を送信することにネットワーク内の送信機ノードによって使用されることができる。
【００３６】
この既定資源割り当て６０は、時間の期間ｔ２〜ｔ１の間にネットワーク内の全部の送信機ノードが、もしそれらが何かそのような送信する情報をもつならば、単一ノード情報を送信するであろうことを明記する。このように、先行技術によると、期間内で使用可能な通信資源４５が、このような種類の情報、すなわち短すぎる巡回拡張をもつ、を送信することに適合されないであろうから、この期間ｔ２〜ｔ１内でマルチノード情報は送信されないであろう。対応して、先行技術に従って、時間の期間ｔ１〜ｔ０内で、それらの送信機ノード内にマルチノード関連情報をもつ送信機ノードは使用可能なマルチノード適合資源４０を使用して情報を送信するであろう。時間の期間ｔ１〜ｔ０内で送信するこのようなマルチノード関連情報をもたない、ネットワークの送信機ノードは、たとえそれらが送信する単一ノード関連情報を持ち得るとしても沈黙しているであろう。
【００３７】
既定資源割り当てまたはスケジュールスキーム６０の正確なデザインと、マルチ／単一ノード適合通信資源４０、４５の間の分割とは、典型的にネットワーク全体にわたった平均（期待）トラフィックパターンに基づく。これは、もしネットワーク全体にわたって平均して送信される比較的多くの単一ノード関連情報であることがそこで期待されるならば、このような情報の送信専用とされた時間の期間は、マルチノード関連情報を送信するための時間期間を費やして典型的に広げられることを意味する。
【００３８】
任意の期間時間で、送信機ノードの１つまたはいくつか、すなわちサブセット、はしかし、例えば既定資源割り当て６０に基づいて実際に送信されることができるものよりも多くの送信するマルチノード関連情報をもち得る。もしこの問題がより長い時間規模でネットワークの大きな部分内でよくおきるならば、既定資源割り当て６０を最適化するまたは再決定する、すなわちマルチと単一関連情報とのための物理資源４０、４５の混合を変える、ことが必要であり得る。これはしかし、ネットワーク全体、すなわち送信機ノードを含む全部、が同時にこの混合を変えることを要求する、比較的複雑な手順である。
【００３９】
本発明は送信機ノードに、それらの現在の実際の送信の必要性を対処するために、すなわち送るマルチノード関連情報（または単一ノード関連情報）の余分または不足をそれらがもつかどうかに応えて、準固定資源割り当て６０を動的に調整することを許すことによって、この問題を解決する。
【００４０】
図１は例えば時間ｔ２〜ｔ１の間の通信システム１を説明し、送信機ノード１０、１５は、このように、図３の資源割り当てによって、単一ノード送信を全部行うまたは沈黙するはずである。これは、あるものはユーザ端末１５に送信する単一ノード関連情報をもち、あるものは送る情報をもたない、ネットワーク内のノード１５のほとんどによってなされる。しかし、ネットワーク１内の送信機ノード１０の部分またはサブセットは、マルチノード関連情報を送信する、より大きな必要性をもつ。これらのノード１０は従って、現在の使用可能な単一ノード適合通信資源がマルチノード送信のために使用されるように、既定資源割り当てを調整する。
【００４１】
本発明に従ったこの解決は、先行技術よりももっと高速で、より柔軟で効率的な通信資源の活用と情報の送信とを提供する。さらに、システム１内のスループットが改善されることができる。
【００４２】
図２は、本発明に従ってワイヤレス通信システム内の通信資源を管理する方法を説明する流れ図である。ステップＳ１は、システム内の送信機ノードがマルチノード適合と単一ノード適合資源とを、それぞれ、情報の送信のために使用できるときを明記する既定資源割り当てを提供するまたは決定する。この既定資源割り当ては図３でのように、典型的に少なくとも２つの資源種の混合である。しかし、割り当てスキームは資源種の１つだけの使用を代替的に指定する、または資源活用のより複雑な割り当て機構を含む。この単一の既定資源割り当ては、一般的に基地局制御装置（ｂａｓｅ  ｓｔａｔｉｏｎ  ｃｏｎｔｒｏｌｌｅｒ：ＢＳＣ）ノード、または無線ネットワーク制御装置（ｒａｄｉｏ  ｎｅｔｗｏｒｋ  ｃｏｎｔｒｏｌｌｅｒ：ＲＮＣ）ノード、または何か他のより高いレベルの制御ノードによって、システム内の全部の送信機ノードに対して生成される。
【００４３】
次のステップＳ２で、送信機ノードの１つまたは部分は、その特定の送信機ノードまたはそれらの特定のノードによって送信されるマルチノード関連情報及び／または単一ノード関連情報の期待量を推定する。情報の期待量は、次のあらかじめ決定された時間間隔内で送信される情報の量の推定に基づける。例えば、送信ノード（または複数のノード）は、少なくとも部分的に、それの／それらの送信機バッファ（または複数のバッファ）内の情報の量と種類とに基づいて推定を行える。代替として、または加えて、推定は情報に対する受信されたユーザ要求に基づける。さらに、ある情報はシステム内で局所的にまたは地域的に送信されるであろうことが前もって知られることができる。またこのような知られた情報は好ましくは推定処理で使用される。加えて、いくつかのチャネル、典型的に放送チャネル、は送る送信機ノードに対して強制的であり得る。これらの強制的なチャネル上で送信される情報は、好ましくは推定に含まれる。
【００４４】
情報の期待量は、マルチノード適合と単一ノード適合資源とをそれぞれ使用して送信されるビットの数を述べられる。代替として、異なる情報種のために送信されることを期待されるデータパケットまたはブロックの数は、情報量の表現として使用されることができる。実際、情報のこの期待量、例えば要求された通信資源、またはＯＦＤＭシンボル、またはサブキャリアの期待数を含む、を表すために使用されることができるどんなパラメータでも本発明に従って使用されることができる。
【００４５】
本発明の１つの実施形態で、ステップＳ２の推定はマルチノード関連情報の期待量に基づく、例えば、デジタルビデオ及び／またはデジタルオーディオの放送のような、ＳＦＮ関係の情報の期待量に基づく。例えば、システムは各ＳＦＮ放送サービスに対して、どの送信機ノードがＳＦＮ方式での対応する放送サービスに関係する（マルチノード関連）情報を送信しているべきかを決める。もし１つでもユーザ端末が特定の送信機ノードからの放送チャネルの送信を要求していたならば、そのノードは、対応する放送サービスを協調的に送信している送信機ノードのＳＦＮリストに追加される。マルチノード関連情報の期待量は従って、ＳＦＮリスト内で見つかるそれらのノードまたはその部分に対して推定されることができて、そしてここで、推定は、少なくとも部分的に、ユーザ要求の数に基づいて行われる。
【００４６】
他の実施形態で、単一ノード関連情報だけが情報推定処理に関係がある。例えばマルチノード関連情報が放送されたデジタルビデオサービスに関係するデータを含み、少なくとも２つの異なるＳＦＮ放送方式がこのサービスに使用可能であると仮定する。１番目の高品質方式で、デジタルビデオサービスに関係する全部のビットは関係のあるユーザ端末（または複数の端末）に放送される。これは典型的にサービスの非常に高い質に終わる。２番目の方式では、ビットの部分だけが送信されるであろう、例えばビットの４分の３は。これはサービスの、わずかにより乏しく、しかしまだ許容できる、質に終わる。もしノードのサブセット内に送信される単一ノード関連情報が少しあるならば、ステップ２で推定されたように、１番目の送信方式がマルチノード情報のために使用されるであろうし、さもなければ２番目の送信方式が使用されるであろう。
【００４７】
さらなる実施形態で、送信機ノードのサブセットによって送信される単一ノード関連とマルチノード関連情報との両方の期待量はステップＳ２で推定される。
【００４８】
続くステップＳ３で、既定資源割り当ては情報の推定量に基づいて送信機ノードのこのサブセットに対して動的に調整されるまたは適合される。これは、既定時間機構によって決定される物理資源が周波数領域で動的に共有されることを意味する。言い換えると、マルチノード適合通信資源は送信機ノードのサブセットによって、単一ノード関連情報の送信への使用に（一時的に）割り当てられるであろうし、そして／または単一ノード適合資源はマルチノード関連情報の送信への使用に割り当てられるであろう。
【００４９】
図４は、システムの部分内のマルチノード関連データの量が、情報のこの種類（すなわち長い巡回拡張をもつＯＦＤＭシンボルが部分的に使用されていない）のための割り当てられた物理資源４０を満たさない場合の、このような調整された資源割り当て６５を説明する。このような場合で、単一ノード関連情報はマルチノード（放送）チャネルと一緒に周波数多重化されることができて、これらのマルチノード適合資源４０内で送信されることができる。例えば、ＳＦＮ方式で作動可能なＯＦＤＭシステム内で、これは、放送チャネルを運んでいるサブキャリア４０だけがＳＦＮ方式で送信され、一方で単一ノード関連情報を運ぶサブキャリア４０は特定の対応する送信機ノード（または複数のノード）から送信されるだけであることを意味する。このように、異なるノードからＳＦＮ方式で送信されたＯＦＤＭシンボルは異なる。放送情報を運ぶサブキャリア上で送信されたシンボルだけが、ＳＦＮ方式で協調している全部のノードで同じである。これの利点は、ＳＦＮ方式のために決定されたシンボルは、送信する放送情報が少しだけあるときもまた、使用されることができるということである。たとえ「自由な（ｆｒｅｅ）」放送適合資源４０（長い巡回拡張をもつシンボル）がそれほど長い巡回拡張を典型的に要求しない単一ノード関連情報に使用されようとも、もし使用可能であれば、自由な通信資源を活用しないよりも、すこし大きすぎるオーバーヘッドで情報を送るのがより良いであろうから、このわずかなオーバーヘッドはより高いシステムスループットに終わる。
【００５０】
単一ノード関連情報は、時間間隔ｔ３〜ｔ２によって説明されるように、さもなければマルチノード送信に適合されるそれらの時間間隔の間でマルチノード関連情報と一緒に周波数多重化されることができることに注意せよ。代替的に、時間間隔ｔ５〜ｔ４とｔ６〜ｔ７とによって説明されるように、それぞれの間隔内で送信されるマルチノード関連情報の量に依存して、単一ノード関連情報はマルチノード関連情報を部分的または完全に置き換える。
【００５１】
図５は、マルチノード関連情報の量が、マルチノード送信のための割り当てられた物理資源４０を上回る、すなわち長い巡回拡張をもつ十分なＯＦＤＭシンボルがない、場合のための調整された既定資源割り当て６５を対応して説明する。この状況で、マルチノード（放送）チャネルは、短い巡回拡張をもつＯＦＤＭシンボルをもついくつかの追加のサブキャリア４５、すなわち単一ノード適合資源４５のいくつか、を使用できる。これらのシンボルの短い巡回拡張はマルチノード（ＳＦＮ）作動のためにデザインされていないから、これらのシンボル上のＩＳＩとＩＣＩとの確率は増加する。しかし、全部の関与する（長いのと短い巡回拡張との両方をもつ）ＯＦＤＭシンボルにわたって、マルチノードチャネルをインターリーブするまたは符合化することによって、これによって引き起こされた劣化は最小化されることができる。単一ノードデータ（すなわち短い巡回拡張をもつＯＦＤＭシンボル）のために予約された物理資源４５がマルチノード関連データに使用される前に、マルチノードチャネルは最初に、マルチノード送信（すなわち長い巡回拡張をもつＯＦＤＭシンボル）のために予約された物理資源４０に配置される。
【００５２】
もしシステムが、既定資源割り当てが求めるＮ個の送信機ノードを含むならば、ステップＳ２の推定とステップＳ３の調整を行う送信機ノードのサブセットは、これらの送信機ノードの１〜Ｎ−１である。例えば、もし既定資源割り当てが任意の国内の全部の送信機ノードに求めるならば、送信機ノードのサブセットは、全体のネットワークの国の州、または市、または何か他の地域内に存在するノードであり得る。
【００５３】
ステップＳ２とＳ３とは作動を通して送信機ノードに対して好ましくは繰り返されて、このことは線Ｌ１によって図式的に説明される。例えば、ステップＳ２の推定は継続的に、または周期的に、または断続的に、またはあらかじめ決定された時間の場合毎に、システム内の全部のノードまたはその部分で行われることができる。もし情報（単一及び／またはマルチノード関連情報）の期待量が変化、例えば任意の閾値を上回るまたはその下に落ちる、を推定したならば、既定資源割り当ての新しい調整がステップＳ３で行われる。
【００５４】
やがて送信機ノードのほとんどは、既定資源割り当てに従って、典型的に作動し、送信する、すなわちマルチノード関連情報（ＳＦＮ放送情報）に対してマルチノード適合資源（長い巡回拡張をもつＯＦＤＭシンボルを運ぶ直交サブキャリア）を、単一ノード関連情報（ユニキャスト／マルチキャスト情報）に対して単一ノード適合資源（短い巡回拡張をもつＯＦＤＭシンボルを運ぶ直交サブキャリア）を使用するだけである、ことに注意せよ。これは、本発明に従ったこの既定資源割り当ての動的な調整が典型的に、地域的な現在の送信要求に適合するために、ネットワークの部分で地域的に一時的に使用されることを意味する。もし送信機ノードの多くが調整された既定の資源割り当てをよく使用するならば、これは典型的に、全面的なネットワーク基準上での既定資源割り当ての再決定または最適化の必要性の指示である。しかし、このような最適化はネットワーク内の全部の送信機ノードを含み、より長い時間の規模（時間または日）で作動するが、一方で本発明は、地域的にネットワークの部分だけに対する、もっと短い時間の規模（分、または秒、または秒の部分）での既定資源割り当ての動的で一時的な調整を行う。
【００５５】
本発明の１つの好ましい実施形態で、マルチノード適合資源は、前述のものの中で記述されてきたように、図６Ａで説明されるように、関連する長い巡回拡張５４をもつ（ＯＦＤＭ）シンボル５０を運ぶ直交サブキャリアである。対応して、単一ノード適合資源は好ましくは、図６Ｂで説明されるように、関連する短い巡回拡張５９をもつシンボル５５を運ぶ直交サブキャリアである。シンボル５０、５５の全体の長さｔＡ＋ΔＡ、ｔＢ＋ΔＢは、巡回拡張５４、５９の長さΔＡ、ΔＢと、有用なシンボル部分５２、５７の長さｔＡ、ｔＢからなる。もしサブキャリア距離がシンボル５０、５５の両方の種類に対して同じであるならば、有用なシンボル部分５２、５７の長さは同じであろう、すなわちｔＡ＝ｔＢ。これは、ΔＡ＞ΔＢだから、全体のシンボルの長さｔＡ＋ΔＡ、ｔＢ＋ΔＢが異なるであろうことを同様に暗示する。しかし、もしシンボル５０、５５の２つの種類に対するサブキャリア距離が異なるならば、有用なシンボル部分５２、５７の長さは異なる、すなわちｔＡ≠ｔＢ。２つのシンボル種５０、５５に対する全体のシンボルの長さｔＡ＋ΔＡ、ｔＢ＋ΔＢは従って巡回拡張５４、５９の実際の長さに依存して、等しくあり得るまたは異なり得る。
【００５６】
ＯＦＤＭシンボル５０、５５は、あらかじめ決定された大きさをもつフレームに組織されることができる。このようなフレームは従って、長い拡張５４をもつＮＡ個のシンボル５０、または短い拡張５９をもつＮＢ個のシンボル５５を含むことができる。パラメータｔＡ、ｔＢ、ΔＡ、ΔＢ、ＮＡ、ＮＢの注意深い選択によって、フレーム時間または長さは両方のシンボル種５０、５５に対して同じになることができる。情報の実際の種類に独立の同じフレーム時間の使用はさらに、システムの同期化を容易にする。
【００５７】
図７は、図２の資源管理方法の追加の手順ステップを説明する流れ図である。図７で、この方法はステップＳ１から続く。次のステップＳ１０で、送信機ノードのサブセットは、ノードに接続されたユーザ端末からのマルチ及び／または単一ノード関連サービスと情報とに対するユーザ要求を受信する。この方法はその後図２のステップＳ２に続き、ここで送信機ノードはこれらのユーザ要求に基づいて送信される情報の期待量を推定する。推定は従って、いくつの要求がそれぞれの情報種に対してあるかに基づいて単純になれる。より精密化された解決は、特定の要求をより綿密に調査することである。例えば、１番目の放送サービスは一般的に、対応する２番目の放送サービスより多くの放送情報の送信に関与する。１番目の放送サービスに対するユーザ要求は従って、２番目のサービスに対する対応する要求よりも異なって加重される、なぜなら前者はより多くの情報送信を暗示するからである。
【００５８】
図８は、より詳細に図２での調節ステップの１つの実施形態を説明する流れ図である。この方法は図２のステップＳ２から続く。次のステップＳ２０で、送信機ノードのサブセットは、調整された既定資源割り当てを獲得するために、情報の推定された期待量に基づいてマルチと単一ノード関連情報とを周波数多重化する。この周波数多重化は、マルチノード関連情報が単一ノード適合資源を使用して送信されるであろうし、そして／または単一ノード関連情報がマルチノード適合資源上で送信されるであろう、ということに終わるであろう。この方法はその後終了する、または図２のステップＳ２に返り、ここで新しい推定が再び導かれる。
【００５９】
図９は、図２のステップＳ１〜Ｓ３と一緒に送信方法を決定する、図２の資源管理方法の追加の手順ステップを説明する流れ図である。この方法は図２のステップＳ３から続く。次のステップＳ３０で、送信ノードのサブセットは動的に調整された既定資源割り当てに従って情報を送信するが、一方でシステム内の残っているノードは調整されていないままの規定資源割り当てに従って送信する。この発明のこの情報送信は、たとえオーバーヘッドまたはＩＳＩ／ＩＣＩの観点から最適でないとしても、システム内の増加されたスループットにつながるであろう。この送信で、全部の送信ノードは資源の同じ種類を使用するであろうが、調整された既定資源割り当てに従って送信するノードは、規定資源割り当てに従って送信するノードと比べると、少なくともいくつかの資源に対して、情報の異なる種類を送信するであろうということに注意せよ。この方法はその後終了する、または図２のステップＳ２に返り、ここで新しい推定が再び導かれる。
【００６０】
図１０は、本発明に従った資源管理装置１００の１つの実施形態の図式的なブロック図である。管理装置１００は、システム内の外部のユニットとの通信のための入力と出力（ｉｎｐｕｔ  ａｎｄ  ｏｕｔｐｕｔ：Ｉ／Ｏ）ユニット１１０を選択的に含む。このＩ／Ｏユニット１１０は、システム内の他のノード（強制的な及び／または地域的な未来の送信の指示）及び／またはユーザ端末（通信サービスに対するユーザ要求）から送信される情報の期待量を推定することに使用されたデータを受信することに特に適合される。Ｉ／Ｏユニット１１０は、送信機ノードに使用するための既定のと、調整された既定資源割り当ての情報とを送信することにさらに使用されることができる。
【００６１】
資源管理装置１００は、情報を送信するために、システム内の送信機ノードに対するマルチと単一ノード適合資源とをいつ使用するかを指定する既定資源割り当てを提供するまたは決定するための、資源割り当てスキーム決定装置または資源割り当て装置１２０を含む。その情報、または決定された既定の資源割り当ての指示は、管理装置１００内の割り当てデータベース１５０または何か他のメモリユニットに、典型的に転送され、蓄えられる。
【００６２】
割り当て生成は典型的に、システム内の送信機ノードから集められた過去のトラフィック情報に基づく。決定装置１２０は従って、システムを通して平均されたような実際の資源の必要性をできる限り正確に反映する資源種の（最適な）スケジューリングスキームを生成するために、このトラフィック情報を使用する。決定装置１２０は典型的に、比較的長い時間規模上で作動して、ノードに対する新しい既定資源割り当てが数日または少なくとも数時間の基準の上で生成されることを暗示する。新しい割り当て生成の必要性の指示は、どのくらいの頻度で、システム内のネットワークノードのいくつが、本発明の割り当て調整を使用するかに基づける。
【００６３】
情報推定装置１３０は資源管理装置１００内でまた実施され、送信機ノード（または複数のノード）によって送信される情報の量を推定することのために、操作されるまたは構成される。このように、この推定装置は、単一とマルチノード関連情報とをそれぞれ送信する機会の、期待された未来の必要性の指示を提供する。前述のもので議論されてきたように、この推定は、単一及び／またはマルチノード関連情報の期待量に基づける。この推定は、送信機バッファの充填レベルの報告、及び／または通信サービスに対するユーザ要求、及び／または強制的な情報、及び／または地域的な送信に基づける。
【００６４】
資源管理装置１００の資源割り当て調整装置または資源再割り当て装置１４０は、特定の送信機ノードまたはノードの組に対して、既定資源割り当ての調整が行われるべきかどうかを決定するために、推定装置１３０からの、情報の推定量を使用する。もしこれがその場合ならば、調整装置１４０は推定された情報量に基づいて、決定装置１２０からのまたは割り当てデータベース１５０から取られたような、既定資源割り当てを動的に調整する。この調整で、調整装置１４０は送信機ノード（または複数のノード）に、１種情報の送信に２番目の情報種に適合された資源を一時的に割り当てることによって、２番目の情報種を費やして、情報の１番目の種類を送信するためのより多くの機会を与える。そのようにして獲得された調整された資源割り当てはその後、管理装置１００がそこに実施されていない限り、Ｉ／Ｏユニット１１０によって関係のある送信機ノード（または複数のノード）に通信される。調整された資源割り当ての情報は好ましくはまた、後の、例えば、あり得る新しい既定資源割り当て再決定の基礎として使用されるであろう情報を集めるときの、使用のために、割り当てデータベース１５０内に蓄えられる。
【００６５】
資源管理装置１００のユニット１１０〜１４０はソフトウェア、またはハードウェア、またはそれらの組み合わせとして提供されることができる。ユニット１１０〜１５０は、通信中のネットワークノード内で一緒に実施されることができる。関係のあるネットワークノードは送信機ノードまたは基地局であり得る。代替として、管理装置１００は、ＢＳＣまたはＲＮＣのようなより高レベルの制御ノード内で提供されることができる。さらに、分配された実施はまた、異なるネットワークノード内で提供されたユニットのいくつかで可能である。
【００６６】
図１１は、本発明に従った資源管理装置１００のもう１つの実施形態の図式的なブロック図である。情報推定装置１３０と、資源割り当て調整装置１４０と、割り当てデータベース１５０との作動は、図１０の対応するユニットと同様であり、ここに繰り返されない。この資源管理装置１００は、それ自体の資源割り当て決定装置をもたない。代わりにＩ／Ｏユニット１１０が、システム内の何か他のネットワークノードから、使用するための既定資源割り当ての情報を受信することによって、資源割り当て提供装置として機能する。このネットワークノードは、全体の通信システムと、従って低レベル制御ノード及び／または送信機ノードへの資源割り当ての通信情報とに対する、資源割り当て生成を行う高レベル制御ノードであり得る。資源割り当て調整装置１４０は従って、推定装置１３０からの推定に基づいて、Ｉ／Ｏユニット１１０からの、または、もしそれに最初に入ったならばデータベース１５０からの、この既定資源割り当てを調整する。
【００６７】
資源管理装置１００のユニット１１０と１３０と１４０とは、ソフトウェア、またはハードウェア、またはそれらの組み合わせとして提供されることができる。ユニット１１０と１３０〜１５０とは、通信中のネットワークノード内で一緒に実施されることができる。関係のあるネットワークノードは、送信機ノードまたは基地局であり得る。代替として、管理装置１００は、ＢＳＣまたはＲＮＣノードのようなより高レベルの制御ノード内で提供されることができる。さらに、分配された実施はまた、異なるネットワークノード内で提供されたユニットのいくつかで可能である。
【００６８】
図１２は、本発明の１つの実施形態に従った送信機ノード１０の１つの実施形態を説明する図式的なブロック図である。このノード１０は、ユーザ端末を含む外部のノードとユニットとの通信のためのＩ／Ｏユニット２１０を含む。従って、Ｉ／Ｏユニット２１０は変調機／復調機と、符号化機／複号機と、データの送信と受信とに要求された他の機能性とを含む。送信機バッファ２２０は、ユーザ端末に送信されるマルチノード関連と単一ノード関連情報とデータとを、一時的に、蓄えるためにノード１０内で実施される。これらのデータ種の送信は、規定資源割り当てまたは調整された既定資源割り当てに基づいて、送信機ノード１０の内のまたは関連する割り当てデータベース２４０内に好ましくは含まれる情報に、スケジュールされる。データを送信することに使用する既定資源割り当ては好ましくは、本発明に従った資源管理装置を含む外部のネットワークノードから、例えばＢＳＣノードから、Ｉ／Ｏユニット２１０によって受信される。また、この既定資源割り当ての調整されたバージョンは、外部のノードからＩ／Ｏユニット２１０によって受信されることができ、割り当て２４０内に入れられることができる。
【００６９】
代替の実施形態で、送信機ノード１０はそれ自体の資源管理装置１００を含む。このような場合で、既定資源割り当ては、上で記述されたように、外部のノードから受信されることができる。資源管理装置１００はその後、特定の送信機ノード１０の、すなわちノード１０によって送信されるマルチ及び／または単一ノード関連情報の期待量の、実際の送信の必要性に基づいてこの資源割り当てを調整する。情報のこの期待量はバッファ２２０の充填程度と、どんな情報の種類がそこに含まれるかとで推定されることができる。そのように調整された資源割り当てはその後好ましくは、割り当てデータベース２４０内に入れられ、そして／またはデータを送信するときの使用のためにＩ／Ｏユニット２１０に転送される。
【００７０】
送信機ノード１０のユニット１００と２１０と２２０とは、ソフトウェア、またはハードウェア、またはそれらの組み合わせとして提供されることができる。
【００７１】
添付の特許請求の範囲によって定義された本発明の範囲からの逸脱なしで、本発明に様々な改変または変化がさせられることができることが、当技術に習熟した人によって理解されるであろう。
【図面の簡単な説明】
【００７２】
この発明はそのさらなる目的と利点と一緒に、添付の図と一緒にとられる以上の記述を言及することによって最も理解されるであろう。
【図１】本発明を使用するワイヤレス通信システムの図式的な概観である。
【図２】本発明に従って通信資源を管理する方法の流れ図である。
【図３】異なる通信資源種を指定する既定資源割り当てを説明する。
【図４】本発明の１つの実施形態に従って動的に調整された既定資源割り当てを説明する。
【図５】本発明のもう１つの実施形態に従って動的に調整された既定資源割り当てを説明する。
【図６Ａ】関係する長い巡回プレフィックスをもつシンボルを用いた原理を図式的に説明する。
【図６Ｂ】関係する短い巡回プレフィックスをもつシンボルを用いた原理を図式的に説明する。
【図７】図２の資源管理方法の追加のステップを説明する流れ図である。
【図８】図２の資源管理方法の調整ステップの１つの実施形態をより詳細に説明する流れ図である。
【図９】図２の資源管理方法の追加のステップを説明する流れ図である。
【図１０】本発明に従った資源管理装置の１つの実施形態を説明するブロック図である。
【図１１】本発明に従った資源管理装置のもう１つの実施形態を説明するブロック図である。
【図１２】本発明に従った送信機ノードの１つの実施形態を説明するブロック図である。
【図１】
2008547264.tif 000003
【図２】
2008547264.tif 000004
【図３】
2008547264.tif 000005
【図４】
2008547264.tif 000006
【図５】
2008547264.tif 000007
【図６Ａ】
2008547264.tif 000008
【図６Ｂ】
2008547264.tif 000009
【図７】
2008547264.tif 000010
【図８】
2008547264.tif 000011
【図９】
2008547264.tif 000012
【図１０】
2008547264.tif 000013
【図１１】
2008547264.tif 000014
【図１２】
2008547264.tif 000015
【国際調査報告】
2008547264.tif 000016
2008547264.tif 000017
2008547264.tif 000018
2008547264.tif 000019